(57)【要約】【課題】自動操舵に係る操作具を容易に操作することが可能な作業車が要望されている。【解決手段】作業車は、走行機体の自動操舵を行うか否かを切り替え操作するための自動操舵切り替え操作具１９と、走行機体の自動操舵に係る設定を行うための設定操作具２１と、を備えている。自動操舵切り替え操作具１９及び設定操作具２１は、操縦塔１５の上部において、ステアリングハンドル１６の下方に配置されている。【選択図】図３
2020099222.tif 000002
【特許請求の範囲】
【請求項１】
走行機体を操舵操作するためのステアリングハンドルと、
前記ステアリングハンドルを有する操縦塔と、
前記走行機体が目標走行経路に沿って走行するように、前記走行機体を自動操舵する自動操舵機構と、
前記走行機体の自動操舵を行うか否かを切り替え操作するための自動操舵切り替え操作具と、
前記走行機体の自動操舵に係る設定を行うための設定操作具と、を備え、
前記自動操舵切り替え操作具及び前記設定操作具は、前記操縦塔の上部において、前記ステアリングハンドルの下方に配置されている作業車。
【請求項２】
前記設定操作具は、前記ステアリングハンドルの回転軸心に対して運転座席が位置する側に配置されている請求項１に記載の作業車。
【請求項３】
前記設定操作具は、複数の操作スイッチによって構成され、
前記複数の操作スイッチは、横並びに配置されている請求項１又は２に記載の作業車。
【請求項４】
前記走行機体の走行方向を前進又は後進に切り替え操作するための前後進切り替え操作具を備え、
前記自動操舵切り替え操作具及び前記前後進切り替え操作具は、前記ステアリングハンドルの回転軸心に対して機体左右方向の一方側に配置されている請求項１から３の何れか一項に記載の作業車。
【請求項５】
前記自動操舵切り替え操作具と前記前後進切り替え操作具とは、機体前後方向で異なる位置に配置されている請求項４に記載の作業車。
【請求項６】
前記走行機体の自動操舵に係る情報を表示する表示装置を備え、
前記表示装置は、前記ステアリングハンドルの前方に配置されている請求項１から５の何れか一項に記載の作業車。
【発明の詳細な説明】
【技術分野】
【０００１】
本発明は、走行機体が目標走行経路に沿って走行するように、走行機体を自動操舵することが可能な作業車に関する。
【背景技術】
【０００２】
上記のような作業車として、例えば、特許文献１に記載の作業車が既に知られている。
特許文献１に記載の作業車は、走行機体が目標走行経路に沿って走行するように、走行機体を自動操舵可能に構成されている。特許文献１に記載の作業車には、走行機体の自動操舵に係る設定を行うための設定操作具（文献では「設定ボタン１０１」等）が備えられている。特許文献１に記載の作業車では、設定操作具がタッチパネルによって構成されており、ステアリングハンドル（文献では「操縦ハンドル〔２０〕」）の前方に位置するモニター〔３９〕に表示される。
【先行技術文献】
【特許文献】
【０００３】
【特許文献１】特開２０１６−２３９７３号公報
【発明の概要】
【発明が解決しようとする課題】
【０００４】
特許文献１に記載の作業車では、運転者が設定操作具を操作する際に、ステアリングハンドルの前方に手を伸ばして操作しなければならないため、設定操作具が操作し辛いものになっている。
【０００５】
上記状況に鑑み、自動操舵用の操作具を容易に操作することが可能な作業車が要望されている。
【課題を解決するための手段】
【０００６】
本発明の特徴は、走行機体を操舵操作するためのステアリングハンドルと、前記ステアリングハンドルを有する操縦塔と、前記走行機体が目標走行経路に沿って走行するように、前記走行機体を自動操舵する自動操舵機構と、前記走行機体の自動操舵を行うか否かを切り替え操作するための自動操舵切り替え操作具と、前記走行機体の自動操舵に係る設定を行うための設定操作具と、を備え、前記自動操舵切り替え操作具及び前記設定操作具は、前記操縦塔の上部において、前記ステアリングハンドルの下方に配置されていることにある。
【０００７】
本特徴構成によれば、自動操舵切り替え操作具及び設定操作具がステアリングハンドルの下方において、ステアリングハンドルの近くに位置することになる。これにより、運転者が大きく手を伸ばさなくても、自動操舵切り替え操作具及び設定操作具に手が届くため、自動操舵切り替え操作具及び設定操作具を容易に操作することができる。
【０００８】
さらに、本発明において、前記設定操作具は、前記ステアリングハンドルの回転軸心に対して運転座席が位置する側に配置されていると好適である。
【０００９】
本特徴構成によれば、設定操作具が運転者の近くに位置することになる。これにより、運転者が設定操作具に手を届かせ易くなる。
【００１０】
さらに、本発明において、前記設定操作具は、複数の操作スイッチによって構成され、
前記複数の操作スイッチは、横並びに配置されていると好適である。
【００１１】
本特徴構成によれば、複数の操作スイッチの全てについて、運転者からの距離が略等しくなる。これにより、運転者が複数の操作スイッチの全てに手を届かせ易くなる。
【００１２】
さらに、本発明において、前記走行機体の走行方向を前進又は後進に切り替え操作するための前後進切り替え操作具を備え、前記自動操舵切り替え操作具及び前記前後進切り替え操作具は、前記ステアリングハンドルの回転軸心に対して機体左右方向の一方側に配置されていると好適である。
【００１３】
本特徴構成によれば、自動操舵切り替え操作具及び前後進切り替え操作具がステアリングハンドルの回転軸心に対して機体左右方向の一方側に集約されることになる。これにより、運転者が自動操舵切り替え操作具及び前後進切り替え操作具を夫々操作する際に、手を変ることなく、片側の手で容易に操作することができる。
【００１４】
さらに、本発明において、前記自動操舵切り替え操作具と前記前後進切り替え操作具とは、機体前後方向で異なる位置に配置されていると好適である。
【００１５】
本特徴構成によれば、運転者から自動操舵切り替え操作具及び前後進切り替え操作具の夫々までの距離が異なることになる。これにより、自動操舵切り替え操作具及び前後進切り替え操作具がステアリングハンドルの回転軸心に対して機体左右方向の一方側に集約されている場合でも、運転者が自動操舵切り替え操作具と前後進切り替え操作具とを取り違えることがないようにすることができる。
【００１６】
さらに、本発明において、前記走行機体の自動操舵に係る情報を表示する表示装置を備え、前記表示装置は、前記ステアリングハンドルの前方に配置されていると好適である。
【００１７】
本特徴構成によれば、運転者が前方から視線を逸らさずに、表示装置を視認することができる。
【図面の簡単な説明】
【００１８】
【図１】トラクタを示す左側面図である。
【図２】トラクタを示す平面図である。
【図３】フロントパネルを示す背面図である。
【図４】フロントパネルを示す平面図である。
【図５】操縦塔の内部構造を示す背面図である。
【図６】フロントパネルの内部構造を示す背面図である。
【図７】図１におけるＶＩＩ−ＶＩＩ断面図である。
【発明を実施するための形態】
【００１９】
本発明を実施するための形態について、図面に基づき説明する。
【００２０】
〔トラクタの全体構成〕
図１及び図２には、トラクタ（作業車）を示している。本トラクタには、走行機体１が備えられている。走行機体１は、例えば、四輪駆動式の走行機体によって構成されている。走行機体１には、駆動可能かつ操舵可能な左右一対の前輪２Ｆと、駆動可能な左右一対の後輪２Ｂと、が備えられている。左右一対の後輪２Ｂを夫々覆う左右一対のフェンダー３が設けられている。
【００２１】
走行機体１の前半部には、原動部４が設けられている。原動部４には、エンジンＥと、エンジンＥを収容するボンネット５と、が備えられている。走行機体１の後半部には、運転者が搭乗する運転部６が設けられている。運転部６には、運転者が着座する運転座席７と、運転座席７の前方に位置するフロントパネル８と、が備えられている。運転座席７の周囲には、ロプス９が設けられている。走行機体１の後端部には、ロータリ耕耘装置等の作業装置（図示省略）が装着されるリンク機構１０が設けられている。
【００２２】
本トラクタには、ＧＰＳアンテナユニット１１と、慣性計測装置（図示省略）と、が備えられている。ＧＰＳアンテナユニット１１は、ＧＰＳ（Ｇｌｏｂａｌ  Ｐｏｓｉｔｉｏｎｉｎｇ  Ｓｙｓｔｅｍ）衛星からの位置情報を受信して、当該受信した位置情報に基づいて走行機体１の位置を測定する装置である。ＧＰＳアンテナユニット１１は、その左右中心が機体の左右中心と一致する状態でロプス９の上部に支持されている。前記慣性計測装置は、走行機体１の慣性情報（ヨー角、ピッチ角、ロール角等）を計測する装置である。本トラクタには、ＧＰＳアンテナユニット１１によって測定された走行機体１の位置及び前記慣性計測装置によって計測された走行機体１の慣性情報に基づいて、走行機体１が目標走行経路に沿って走行するように、走行機体１を自動操舵する自動操舵機構１２（図５から図７参照）が備えられている。
【００２３】
〔フロントパネル〕
図３から図６に示すように、フロントパネル８には、メータパネル１３と、モニター１４（表示装置）と、操縦塔１５と、が備えられている。操縦塔１５には、ステアリングハンドル１６等が備えられている。メータパネル１３は、ステアリングハンドル１６の前下方に配置されている。メータパネル１３には、燃料計やエンジン回転計、水温計、液晶表示部、各種のランプ等が備えられている。モニター１４は、メータパネル１３の上方において、ステアリングハンドル１６の前方に配置されている。モニター１４には、走行機体１の自動操舵に係る情報が表示される。モニター１４は、走行機体１の自動操舵用のガイダンスモニターとして機能する。
【００２４】
〔操縦塔〕
操縦塔１５は、運転座席７の前方に設けられている。操縦塔１５には、ステアリングハンドル１６と、ステアリングシャフト１７と、ステアリングポスト１８と、自動操舵切り替えレバー１９と、前後進切り替えレバー２０と、設定スイッチ２１と、スイッチ２２と、自動操舵機構１２と、が備えられている。ステアリングポスト１８や自動操舵機構１２等は、ステアリングカバー２３に覆われている
【００２５】
操縦塔１５は、機体左右方向に延びる揺動軸心Ｘ１周りで揺動可能なように、ステアリングポスト１８を介して支持フレーム２９に支持されている。揺動軸心Ｘ１周りにおける操縦塔１５の位置を調節するチルト機構２４が設けられている。フロントパネル８の下部には、チルト機構２４を操作するためのチルトペダル２５が設けられている。チルトペダル２５を踏み込むことにより、チルト機構２４が操縦塔１５の位置を調節可能な状態となる。チルトペダル２５の踏み込みを解除すると、操縦塔１５の位置が位置決めされることになる。
【００２６】
ステアリングハンドル１６は、走行機体１を操舵操作するためのハンドルである。ステアリングシャフト１７は、ステアリングハンドル１６から下方に向かって延び出る状態でステアリングハンドル１６に連結されている。ステアリングシャフト１７は、ステアリングハンドル１６によって回転操作されるように、ステアリングシャフト１７の軸心（ステアリングハンドル１６の回転軸心）Ｚ１周りで回転可能にステアリングポスト１８に支持されている。ステアリングポスト１８には、ステアリングシャフト１７のうち上側部分を挿通支持する上挿通部２６と、ステアリングシャフト１７のうち下側部分を挿通支持する下挿通部２７と、下挿通部２７を支持する基部２８と、が備えられている。基部２８は、揺動軸心Ｘ１周りで揺動可能に支持フレーム２９に支持されている。
【００２７】
自動操舵切り替えレバー１９は、走行機体１の自動操舵を行うか否かを切り替え操作するためのレバーである。前後進切り替えレバー２０は、走行機体１の走行方向を前進又は後進に切り替え操作するためのレバーである。自動操舵切り替えレバー１９及び前後進切り替えレバー２０は、操縦塔１５の上部において、ステアリングハンドル１６の下方に配置されている。自動操舵切り替えレバー１９及び前後進切り替えレバー２０は、ステアリングハンドル１６の回転軸心Ｚ１に対して機体左右方向の一方側（本実施形態では、左側）に配置されている。自動操舵切り替えレバー１９と前後進切り替えレバー２０とは、機体前後方向で異なる位置に配置されている。本実施形態では、自動操舵切り替えレバー１９及び前後進切り替えレバー２０は、自動操舵切り替えレバー１９が前側に位置し、かつ、前後進切り替えレバー２０が後側に位置する状態で配置されている。
【００２８】
前後進切り替えレバー２０の操作位置に応じて、走行機体１の走行方向を前進又は後進に切り替える前後進切り替えスイッチ３０が設けられている。前後進切り替えスイッチ３０は、前後進切り替えレバー２０の操作位置を検出可能に構成されている。前後進切り替えスイッチ３０は、ギヤケース３１のうちステアリングハンドル１６の回転軸心Ｚ１よりも左側に位置する部分の下方に配置されている。前後進切り替えスイッチ３０は、ステー３２を介してステアリングポスト１８に支持されている。
【００２９】
前後進切り替えレバー２０は、走行機体１を前進走行させる前進位置と、走行機体１を後進走行させる後進位置と、走行機体１を走行停止させる中立位置とに切り替え可能に構成されている。前後進切り替えレバー２０は、ギヤケース３１よりも下側の高さ位置から、ステアリングハンドル１６の上下範囲と重複する高さ位置まで上方に向かって延び出ている。前後進切り替えレバー２０には、運転者が握る把持部２０ａと、前後進切り替えスイッチ３０に連結される連結部２０ｂと、把持部２０ａと連結部２０ｂとに亘るロッド部２０ｃと、が備えられている。把持部２０ａは、ステアリングハンドル１６の上下範囲と重複する高さ位置に配置されている。ロッド部２０ｃは、ギヤケース３１を迂回する形態で、連結部２０ｂから上方に向かって延び出ている。
【００３０】
設定スイッチ２１は、走行機体１の自動操舵に係る設定を行うためのスイッチである。設定スイッチ２１は、補正スイッチ３３、ダイヤルスイッチ３４及び切り替えスイッチ３５によって構成されている。補正スイッチ３３、ダイヤルスイッチ３４及び切り替えスイッチ３５は、操縦塔１５の上部において、ステアリングハンドル１６の下方に配置されている。補正スイッチ３３、ダイヤルスイッチ３４及び切り替えスイッチ３５は、ステアリングハンドル１６の回転軸心Ｚ１に対して運転座席７が位置する側（後側）に配置されている。補正スイッチ３３、ダイヤルスイッチ３４及び切り替えスイッチ３５は、左側からこの順で横並びに配置されている。
【００３１】
本トラクタでは、ＧＰＳアンテナユニット１１によって測定された走行機体１の位置及び前記慣性計測装置によって計測された走行機体１の慣性情報に基づいて、走行機体１の位置が算出される。補正スイッチ３３は、算出された走行機体１の位置を補正するためのスイッチである。補正スイッチ３３には、算出された走行機体１の位置を左側に補正する左補正スイッチ部３３ａと、算出された走行機体１の位置を右側に補正する右補正スイッチ部３３ｂと、が備えられている。
【００３２】
ダイヤルスイッチ３４は、押し操作及び回転操作可能なスイッチによって構成されている。ダイヤルスイッチ３４を短押し操作することにより、例えば、各種の決定を行うことができる。ダイヤルスイッチ３４を長押し操作することにより、例えば、各種のメニューを呼び出すことができる。ダイヤルスイッチ３４を左側又は右側に回転操作することにより、例えば、各種の選択を行うことができる。だたし、ダイヤルスイッチ３４の各操作に対応する機能は、上述した機能（決定、メニューの呼び出し、選択）に限定されるものではない。
【００３３】
切り替えスイッチ３５は、押し操作可能なスイッチによって構成されている。切り替えスイッチ３５を短押し操作することにより、例えば、前画面に戻ることができる。切り替えスイッチ３５を長押し操作することにより、例えば、ホーム画面に戻ることができる。ただし、切り替えスイッチ３５の各操作に対応する機能は、上述した機能（前画面に戻る、ホーム画面に戻る）に限定されるものではない。
【００３４】
スイッチ２２は、ヘッドライト及びウインカを操作するためのスイッチである。スイッチ２２は、ステアリングハンドル１６の回転軸心Ｚ１に対して右側に配置されている。
【００３５】
〔自動操舵機構〕
図５から図７に示すように、自動操舵機構１２には、ステアリングシャフト１７を回転駆動するモータＭと、モータＭの駆動力をステアリングシャフト１７に伝達するギヤ機構Ｇと、ギヤ機構Ｇを収容するギヤケース３１と、が備えられている。モータＭとギヤケース３１とは、上下に並ぶ状態で配置されている。具体的には、モータＭ及びギヤケース３１は、モータＭが上側に位置し、かつ、ギヤケース３１が下側に位置する状態で配置されている。
【００３６】
ギヤ機構Ｇには、モータＭの出力軸に設けられた出力ギヤ３６と、出力ギヤ３６と噛み合う第一中継ギヤ３７と、第一中継ギヤ３７と同軸に設けられ、かつ、第一中継ギヤ３７と一体回転する第二中継ギヤ３８と、ステアリングシャフト１７に設けられ、かつ、第二中継ギヤ３８と噛み合う入力ギヤ３９と、が備えられている。ギヤケース３１は、ステアリングハンドル１６の下方において、ステアリングハンドル１６の回転軸心Ｚ１に対して左側に偏倚した位置に配置されている。ギヤケース３１の上下方向の厚さＴ１は、モータＭの上下方向の厚さＴ２と同一又は略同一である。ギヤケース３１は、上ケース部３１ａと下ケース部３１ｂとに上下に二分割された構造である。ギヤケース３１は、ステアリングシャフト１７がギヤケース３１を上下方向に貫通する状態で、ステアリングポスト１８に支持されている。上ケース部３１ａの上面部には、上挿通部２６の下端部が固定（ボルト固定）されている。下ケース部３１ｂの下面部には、下挿通部２７の上端部が固定（ボルト固定）されている。
【００３７】
モータＭは、ステアリングハンドル１６の下方において、ステアリングシャフト１７の左隣りに配置されている。モータＭは、ギヤケース３１に支持されている。具体的には、モータＭは、ギヤケース３１のうちステアリングハンドル１６の回転軸心Ｚ１よりも左側に位置する部分に支持（載置支持）されている。モータＭは、上ケース部３１ａの上面部に固定（ネジ固定）されている。
【００３８】
〔別実施形態〕
（１）上記実施形態では、モータＭは、ステアリングハンドル１６の下方において、ステアリングシャフト１７の左隣りに配置されている。しかし、モータＭは、ステアリングハンドル１６の下方において、ステアリングシャフト１７の右隣りに配置されていてもよい。
【００３９】
（２）上記実施形態では、モータＭ及びギヤケース３１は、モータＭが上側に位置し、かつ、ギヤケース３１が下側に位置する状態で配置されている。しかし、モータＭ及びギヤケース３１は、ギヤケース３１が上側に位置し、かつ、モータＭが下側に位置する状態で配置されていてもよい。あるいは、モータＭとギヤケース３１とは、左右に並ぶ状態で配置されていてもよい。あるいは、モータＭとギヤケース３１とは、前後に並ぶ状態で配置されていてもよい。
【００４０】
（３）上記実施形態では、モータＭは、ギヤケース３１のうちステアリングハンドル１６の回転軸心Ｚ１よりも左側に位置する部分に支持されている。しかし、モータＭは、ギヤケース３１のうちステアリングハンドル１６の回転軸心Ｚ１よりも右側に位置する部分に支持されていてもよい。あるいは、モータＭは、ギヤケース３１とは別の部材に支持されていてもよい。
【００４１】
（４）上記実施形態では、ギヤケース３１は、ステアリングハンドル１６の下方において、ステアリングハンドル１６の回転軸心Ｚ１に対して左側に偏倚した位置に配置されている。しかし、ギヤケース３１は、ステアリングハンドル１６の下方において、ステアリングハンドル１６の回転軸心Ｚ１に対して右側に偏倚した位置に配置されていてもよい。
【００４２】
（５）上記実施形態では、ギヤケース３１の上下方向の厚さＴ１は、モータＭの上下方向の厚さＴ２と同一又は略同一である。しかし、ギヤケース３１の上下方向の厚さＴ１は、モータＭの上下方向の厚さＴ２と同一又は略同一に限定されるものではない。例えば、ギヤケース３１の上下方向の厚さＴ１は、モータＭの上下方向の厚さＴ２よりも厚くてもよい。
【００４３】
（６）上記実施形態では、前後進切り替えレバー２０は、ギヤケース３１よりも下側の高さ位置から、ステアリングハンドル１６の上下範囲と重複する高さ位置まで上方に向かって延び出ている。しかし、前後進切り替えレバー２０の構成は、上記実施形態に係る構成に限定されるものではない。例えば、前後進切り替えレバー２０の上端部（把持部２０ａ）は、ステアリングハンドル１６の下端よりも下側に位置していてもよい。
【００４４】
（７）上記実施形態では、設定スイッチ２１は、補正スイッチ３３、ダイヤルスイッチ３４及び切り替えスイッチ３５によって構成されている。しかし、設定スイッチ２１の構成は、上記実施形態に係る構成に限定されるものではない。例えば、補正スイッチ３３、ダイヤルスイッチ３４及び切り替えスイッチ３５に加えて、補正スイッチ３３、ダイヤルスイッチ３４及び切り替えスイッチ３５以外のスイッチが設けられていてもよい。あるいは、補正スイッチ３３、ダイヤルスイッチ３４及び切り替えスイッチ３５のうち少なくとも何れか一つに代えて、補正スイッチ３３、ダイヤルスイッチ３４及び切り替えスイッチ３５以外のスイッチが設けられていてもよい。また、設定スイッチ２１は、一つの「操作スイッチ」によって構成されていてもよい。
【００４５】
（８）上記実施形態では、設定スイッチ２１は、ステアリングハンドル１６の回転軸心Ｚ１に対して運転座席７が位置する側（後側）に配置されている。しかし、設定スイッチ２１は、ステアリングハンドル１６の回転軸心Ｚ１に対して機体左右方向の一方側に配置されていてもよい。
【００４６】
（９）上記実施形態では、補正スイッチ３３、ダイヤルスイッチ３４及び切り替えスイッチ３５は、横並びに配置されている。しかし、補正スイッチ３３、ダイヤルスイッチ３４及び切り替えスイッチ３５は、前後並びに配置されていてもよい。
【００４７】
（１０）上記実施形態では、自動操舵切り替えレバー１９及び前記前後進切り替えレバー２０は、ステアリングハンドル１６の回転軸心Ｚ１に対して左側に配置されている。しかし、自動操舵切り替えレバー１９及び前後進切り替えレバー２０は、ステアリングハンドル１６の回転軸心Ｚ１に対して右側に配置されていてもよい。あるいは、自動操舵切り替えレバー１９及び前記前後進切り替えレバー２０は、ステアリングハンドル１６の回転軸心Ｚ１に対して機体左右方向で一方側と他方側とに配置（振り分け配置）されていてもよい。
【００４８】
（１１）上記実施形態では、自動操舵切り替えレバー１９及び前後進切り替えレバー２０は、自動操舵切り替えレバー１９が前側に位置し、かつ、前後進切り替えレバー２０が後側に位置する状態で配置されている。しかし、自動操舵切り替えレバー１９及び前後進切り替えレバー２０は、前後進切り替えレバー２０が前側に位置し、かつ、自動操舵切り替えレバー１９が後側に位置する状態で配置されていてもよい。あるいは、自動操舵切り替えレバー１９と前後進切り替えレバー２０とは、機体前後方向で同じ位置に配置されていてもよい。
【００４９】
（１２）上記実施形態では、前後進切り替えスイッチ３０は、ギヤケース３１のうちステアリングハンドル１６の回転軸心Ｚ１よりも左側に位置する部分の下方に配置されている。しかし、前後進切り替えスイッチ３０の位置は、上記実施形態に係る位置に限定されるものではない。例えば、前後進切り替えスイッチ３０は、ギヤケース３１のうちステアリングハンドル１６の回転軸心Ｚ１よりも右側に位置する部分の下方に配置されていてもよい。あるいは、前後進切り替えスイッチ３０は、ギヤケース３１の下方とは別の場所に配置されていてもよい。
【００５０】
（１３）上記実施形態では、「自動操舵切り替え操作具」は、自動操舵切り替えレバー１９によって構成されている。しかし、「自動操舵切り替え操作具」は、スイッチによって構成されていてもよい。
【００５１】
（１４）上記実施形態では、「前後進切り替え操作具」は、前後進切り替えレバー２０によって構成されている。しかし、「前後進切り替え操作具」は、スイッチによって構成されていてもよい。
【００５２】
（１５）上記実施形態では、「設定操作具」は、設定スイッチ２１によって構成されている。しかし、「設定操作具」は、レバーによって構成されていてもよい。
【００５３】
（１６）上記実施形態では、トラクタに、チルト機構２４が備えられている。しかし、トラクタに、チルト機構２４が備えられていなくてもよい。
【００５４】
（１７）上記実施形態では、トラクタに、運転部６を覆うキャビンが備えられていない。しかし、トラクタに、ロプス９に代えて前記キャビンが備えられていてもよい。
【産業上の利用可能性】
【００５５】
本発明は、走行機体が目標走行経路に沿って走行するように、走行機体を自動操舵することが可能な作業車（例えば、トラクタ）に利用可能である。
【符号の説明】
【００５６】
１  走行機体
７  運転座席
１２  自動操舵機構
１４  モニター（表示装置）
１５  操縦塔
１６  ステアリングハンドル
１９  自動操舵切り替えレバー（自動操舵切り替え操作具）
２０  前後進切り替えレバー（前後進切り替え操作具）
２１  設定スイッチ（設定操作具）
３３  補正スイッチ（操作スイッチ）
３４  ダイヤルスイッチ（操作スイッチ）
３５  切り替えスイッチ（操作スイッチ）
Ｚ１  ステアリングハンドルの回転軸心
【図１】
2020099222.tif 000003
【図２】
2020099222.tif 000004
【図３】
2020099222.tif 000005
【図４】
2020099222.tif 000006
【図５】
2020099222.tif 000007
【図６】
2020099222.tif 000008
【図７】
2020099222.tif 000009